(57)【要約】【課題】  バルコニー床等の横引き排水管の水勾配を現場での特別の調整を行うことなく容易に得られるようにする。【解決手段】上流側支持ブラケット(29)の排水管支持部(32)に対して下流側支持ブラケット(38)の排水管支持部(42)の高さを低くして、それらの排水管支持部へ横引き排水管(26)を取り付けるだけで水勾配を得られるようにしたものである。【選択図】  図１
2005213953.tif 000002
【特許請求の範囲】
【請求項１】
バルコニー等の外部床の排水口と竪樋とを連絡する横引き排水管の支持構造であって、少なくともその横引き排水管の流れ方向の上流側と下流側に一対の支持ブラケットを備え、それらの支持ブラケットをバルコニー本体側へ取り付けた状態において、上流側支持ブラケットの排水管支持部に対して下流側支持ブラケットの排水管支持部の高さを低くして、横引き排水管に水勾配を持たせるようにしたことを特徴とするバルコニー等の外部床の排水管の支持構造。
【請求項２】
各ブラケットの排水管支持部が、横引き排水管の端部を外嵌若しくは挿入する接続管からなり、上流側の支持ブラケットと下流側の支持ブラケットとで、この接続管の高さを異ならしめることによって、横引き排水管に水勾配を持たせるようにした請求項１記載のバルコニー等の外部床の排水管の支持構造。
【請求項３】
支持ブラケットは、その取付部をバルコニー床フレームへボルトで固定されるものである請求項１記載のバルコニー等の外部床の排水管の支持構造
【請求項４】
前記取付部の下端に接続管を一体に備えている請求項３記載のバルコニー床などの外部床の排水管の支持構造。
【請求項５】
取付部が垂直な取付プレートであって、その取付プレートに形成されたボルト穴に挿入される水平方向のボルトによって、床フレームへ固定されるものである請求項３又は４記載のバルコニー等の外部床の排水管の支持構造。
【請求項６】
取付プレートのボルト穴の中心から接続管の軸心までの高さを、上流側の支持ブラケットと下流側の支持ブラケットとで、上流側の高さが高くなるように異ならせてある請求項５記載のバルコニー床等の外部床の排水管の支持構造。
【請求項７】
横引き排水管はバルコニー床フレームの下側に配置され、且つ、その下方には軒天井が設けられている請求項１から６の何れかに記載のバルコニー等の外部床の排水管の支持構造。
【請求項８】
バルコニー床フレームは、外壁面と平行な内外一対の横フレームとそれら横フレーム間に渡した桟材とからなり、前記一対の支持ブラケットが、桟材へ長手方向に間隔を置いて取り付けられている請求項３から７の何れかに記載のバルコニー等の外部床の排水管の支持構造。
【発明の詳細な説明】
【技術分野】
【０００１】
この発明は、建物本体の外側に張り出して設けられるバルコニー等の外部床の排水管の支持構造に関するものである
【背景技術】
【０００２】
バルコニー等の外部床においては、建物本体側から先端に向けて下り傾斜した水勾配を持たせて、その先端側に設けた床面の排水溝へ集水して流すようにしている。そして、排水溝へ集められた雨水は、その排水溝の１カ所の排水口から、バルコニー床裏面の排水配管を介して、建物本体に沿って設けられた竪樋へ流すようにしている。
【０００３】
そして、排水口から竪樋までの間に横引き排水管がある場合には、この横引き排水管の部分においても、竪樋側に向かって下り傾斜する水勾配を設けることが望ましい。
【０００４】
他方、バルコニー床裏面の排水配管の部分は、その下側に軒天井を設けて覆うことで、排水管が軒裏に露出することがなく、外観を良好なものとしている。
【０００５】
特許文献１には、そのように裏側を軒天井で覆ったものにおいて、バルコニー床の排水口から竪樋までの横引き排水管に水勾配を設けたものが開示されている。
【０００６】
また、特許文献２では、バルコニー床先端の排水口から建物本体側の竪樋へ向けて直接斜め樋を設けたものが開示されている。
【０００７】
【特許文献１】特開２００３−３１３９３８号公報
【特許文献２】特開２０００ー２７３８３号公報
【発明の開示】
【発明が解決しようとする課題】
【０００８】
上記従来例において、特許文献１に記載されたものは、分厚いシャッターケースが収まるほどの空間が防水床の下側に設けられたものである。そのため、下側に軒天井を設けたとしても、水勾配を備えた横引き排水管を配置するには充分な余裕がある。したがって、このようなものにおいては、水勾配の角度も大きくとることが可能であり、現場での取付に際してある程度の誤差があったとしても、大きな問題は生じない。
【０００９】
しかしながら、床裏空間に充分な空間を取ることが出来ないような場合では、水勾配を大きくとることができないから、現場での排水管を取付に精度を要求されることになり、そのために作業性が悪くなる欠点がある。
【００１０】
他方、特許文献２においても、斜め樋の竪樋側の端部は竪樋へ直接取り付けられて、バルコニーのフレームで支持されていないため、竪樋は軒天井よりも下方の解放された空間にあるから、どのような水勾配を設けようと自由であり、取付誤差を気にすることなく大きな水勾配を取ることが出来るが、その半面、この斜め樋が露出して外観を損なう欠点がある。
【００１１】
この発明は、バルコニー床等の横引き排水管の水勾配を、現場での特別の調整を行うことなく容易に得られるようにすることを目的とするものである。
【課題を解決するための手段】
【００１２】
上記の課題を解決するため、この発明は、バルコニー等の外部床の排水口と竪樋とを連絡する横引き排水管の支持構造であって、少なくともその横引き排水管の流れ方向の上流側と下流側に一対の支持ブラケットを備え、それらの支持ブラケットをバルコニー本体側へ取り付けた状態において、上流側支持ブラケットの排水管支持部に対して下流側支持ブラケットの排水管支持部の高さを低くして、横引き排水管に水勾配を持たせるようにしたことを特徴とする。
【００１３】
請求項２の発明では、各ブラケットの排水管支持部が、横引き排水管の端部を外嵌若しくは挿入する接続管からなり、上流側の支持ブラケットと下流側の支持ブラケットとで、この接続管の高さを異ならしめることによって、横引き排水管に水勾配を持たせるようにしたものが提供される。
【００１４】
上記において、請求項３の発明では、各支持ブラケットは、その取付部をバルコニー床フレームへボルトで固定されるものであるとともに、請求項４では、その取付部の下端に接続管を一体に備えているものが提供される。
【００１５】
請求項５の発明では、取付部が垂直な取付プレートであって、その取付プレートに形成されたボルト穴に挿入される水平方向のボルトによって、床フレームへ固定されるものであるものが提供される。
【００１６】
また、横引き排水管はバルコニー床フレームの下側に配置され、且つ、その下方には軒天井が設けられる。
【００１７】
更に、請求項８の発明では、バルコニー床フレームは、外壁面と平行な内外一対の横フレームとそれら横フレーム間に渡した桟材とからなり、前記一対の支持ブラケットが、桟材へ長手方向に間隔を置いて取り付けられているものが提供される。
【発明の効果】
【００１８】
この発明によれば、横引き排水管を上流側と下流側の支持ブラケットへ取り付けるだけで、その横引き排水管に水勾配が得られるようにしているので、現場で水勾配を持たせるための特別の調整作業が不要である。
【００１９】
このため、バルコニー床の床面の下側に狭い空間しかない場合でも、容易に水勾配を持たせることが出来、排水性能に優れたものが得られる。
【００２０】
また、請求項６の発明では、取付プレートのボルト穴の中心から接続管の軸心までの高さを、上流側と下流側とで、上流側の高さが高くなるように異ならせているので、取付プレートをボルトで取り付けるのみで容易に水勾配が得られることになる。
【００２１】
更に、支持ブラケットと横引き排水管を別体とすることにより、支持ブラケットは異なる排水管にも兼用できるの、汎用性に優れたものが得られる。
【００２２】
この出願の請求項７の発明では、横引き排水管の下側に軒天井が設けられているので、排水配管が露出せず外観が良好となる。
【発明を実施するための最良の形態】
【００２３】
図１は、建物本体外壁(１)の外側に設けられるバルコニー(２)の概略構成を示している。図において、(３)は、バルコニー床フレームであって、外壁(１)の面と平行な一対の横フレーム(４)(５)と、それら横フレーム(４)(５)間に、互いに間隔を置いて渡された複数本の桟材(６)(６)…とからなる。
【００２４】
(７)は、建物本体の梁であり、図のようなＨ形鋼からなるものである。この梁(７)の外側に、前記外壁(１)を構成する外壁パネル(８)(９)が取り付けられている。バルコニー床フレーム(３)は、図示していないが、例えば梁(７)より、外壁(１)の縦目地を貫通して突出させた腕木等に取り付けられるものである。
【００２５】
上記の床フレーム(３)の上には下地板(10)が設置され、この下地板(10)の上に、防水床を構成するための防水パン(11)が設置される。下地板(10)は、望ましくは合板製のものが用いられる。
【００２６】
防水パン(11)は、望ましくは鋼板が好適に用いられ、その四周には側壁(12)が立ち上がっている。また、この側壁(12)の上端には、内側へ水平に折り返しされた折り返し片(13)が設けられている。同じく防水パン(11)は、その床面(14)が、建物本体への取付け側とは反対側の先端へ向かって下り傾斜する水勾配を設けて設置される。
【００２７】
そして、その水勾配の下流側である先端付近に、その水勾配に沿って流れてきた水が落ちる排水溝(15)が形成されている。この排水溝(15)は、横フレーム(４)と同じ方向に、床面(14)の左端から右端まで形成されている。排水溝(15)の一方の端部側、すなわち図の左端側近傍位置に排水口(16)が形成されている。排水溝(15)内に集められた水は、この排水口(16)から、床フレーム(3)下側の排水配管(17)によって、前記外壁(１)に沿って配置された竪樋(18)へと流される。
【００２８】
次に、上記排水配管(17)について説明すると、(21)は排水ホースであって、この排水ホース(21)の上向きの入り口端(22)が、前記排水口(16)において、その排水口(16)に設けた排水ドレン(23)へ連結される。図３で示すように、排水口(16)を囲むようにして、キャップ状のストレーナ(24)が排水溝(15)内に設置されている。
【００２９】
上記排水ホース(21)は、前記先端側の横フレーム(４)に沿って左右方向の中央側へ向けて伸び、前記一つの桟材(６)の下側に沿って配置された横引き排水管(26)の入り口側へ接続される。そして、横引き排水管(26)の出口側が、外壁(１)側の前記横フレーム(５)に沿って配置された、水平方向の出口管(27)へ接続されて、前記の竪樋(18)へと接続されている。
【００３０】
この発明は、上記の横引き配水管(26)において実施されるものである。そこで、その具体的な構造を説明すると、(29)は、横引き排水管(26)の上流側の端部を支持する支持ブラケット、(39)は、同じく横引き排水管(26)の下流側の端部を支持する支持ブラケットを示している。
【００３１】
上流側支持ブラケット(29)は、１枚の垂直取付プレート(30)を備え、この取付プレート(30)は、左右方向に一対のボルト穴(31)(31)を備えている。更に、それらボルト穴(31)(31)間に、表裏両面に突出して突起(38)を備えている。取付プレート(30)の下端面には、排水管支持部となる接続管(32)が固着されている。この接続管(32)は、取付プレート(30)の長手方向に沿う第１管(33)とその第１管(33)の途中から分岐した第２管(34)とからなり、第２管(34)に前記排水ホース(21)の出口側の端部が、挿入若しくは外嵌して接続される。他方、第１管(33)は、その一方の端部に前記横引き排水管(26)の入り口側の端部が挿入して接続されるものであり、他方の端部はこの実施形態では閉塞されている。
【００３２】
上記上流側支持ブラケット(29)は、図のように、床フレーム(３)の一つの桟材(６)の外壁(１)とは反対側の端部に取り付けられる。具体的には、桟材(６)の側面へ、その取付プレート(30)の前記の１つのボルト穴(31)を、桟材(６)に設けられた取付け用穴(35)へ適合させるようにして設置し、それらのボルト穴(31)と取付け用穴(35)へ差し込んだボルト(36)とナット(37)とで締め付けて固定される。また、突起(38)が、同じく取り付け用穴(35)の１つへ挿入されて回転しないよう保持される。
【００３３】
他方、下流側支持ブラケット(39)は、同じく１枚の垂直取付プレート(40)を備え、この取付プレート(40)の中央に１つのボルト穴(41)を備え、その側方に、前記上流側支持プレート(29)と同じ突起(45)を備えている。そして、この取付プレート(40)の下端面に排水管支持部となる接続管(42)が固着されている。この接続管(42)は、第１管(43)と第２管(44)がＬ字形に繋がったエルボ形状であり、一方の第１管(43)が、垂直取付プレート(40)の下端面に沿って固着されている。
【００３４】
この下流側支持ブラケット(39)は、図のように、上流側支持ブラケット(29)が取り付けられる桟材(６)の外壁(１)側の端部へ取り付けられ、このとき、第１管(43)の入り口端が上流側支持ブラケット(29)側へ向いており、この入り口端へ横引き排水管(26)の出口側の端部を挿入して接続される。
【００３５】
具体的には、桟材(６)の側面へ、その取付プレート(40)の前記のボルト穴(41)を、桟材(６)に設けられた取付け用穴(35)へ適合させるようにして設置し、それらのボルト穴(41)と取付け用穴(35)へ差し込んだボルト(36)とナット(37)とで締め付けて固定される。第２管(44)には前記出口管(27)の入り口側が差し込んで接続される。また、突起(45)が同様にして、取付け用穴(35)の１つへ挿入されて回転しないように保持される。
【００３６】
このような取付構造において、横引き排水管(26)には、各支持ブラケット(29)(39)の接続管(32)(42)へ両端を差し込んで接続することにより、自ずと、上流から下流に向かって下り傾斜する水勾配が得られるようになっている。
【００３７】
具体的には、例えば、各支持ブラケット(29)(39)のボルト穴(31)(41)の中心の高さを同じとし、そのボルト穴(31)(41)と各接続管(32)(42)との間の高さを変更することが考えられる。すなわち、図３において、横引き排水管(26)の上流側端部が挿入される上流側支持ブラケット(29)の第１管(33)の軸心までの高さH1と、同じく下流側端部が挿入される下流側支持ブラケット(39)の第１管(43)の軸心までの高さH2とで、上流側の高さH1側を高くすることで達成される。この場合、望ましくは、第１管(33)(43)を水勾配に沿って傾けて設けられる。なお、突起(38)(45)の高さも同様に異ならせることが望ましい。
【００３８】
また、勾配を持たせる他の手段として、上記高さH1，H2を同じとして、桟材(６)側の取付け用穴(35)の高さを、下流側(41)が低くなるように異ならせても、同様に水勾配を得ることが出来る。
【００３９】
上記のようにして取り付けられた床フレーム(３)の下側の排水配管(17)の下側には、図３で示すように、軒天井板(46)が取り付けられて、排水配管(17)が軒裏に露出して外観が悪くなるの防止している。この軒天井板(46)は、専用の金具により床フレーム(３)で支持されるが、ここではその詳細は省略している。
【００４０】
なお、図３において、(47)は、外壁(１)とは反対側の横フレーム(３)の外側面に、その下端のプレート(48)をボルト止めし取り付けた手摺り支柱の柱脚部を示している。(49)は、その手摺り支柱(47)の外側から下方を覆う化粧カバーである。
【産業上の利用可能性】
【００４１】
この発明は、上記実施形態で示したバルコニー床に最適であるが、必ずしもこれに限られるものではなく、ベランダその他建物本体の外側に張り出した他の外部床に適用可能である。また、付帯型以外のバルコニーにも適用可能である。
【図面の簡単な説明】
【００４２】
【図１】この発明を付帯型バルコニーに実施した場合のバルコニーの概略構造を示す要部の分解斜視図である。
【図２】排水配管の配置構造を示すバルコニー床フレーム下方から見た斜視図である。
【図３】同じく排水配管を取り付けたバルコニー床の断面図である。
【符号の説明】
【００４３】
(２)  バルコニー床
(３)  床フレーム
(４)(５)  横フレーム
(６)  桟材
(26)  横引き排水管
(29)  上流側支持ブラケット
(30)  垂直取付プレート
(31)  ボルト穴
(32)  接続管
(35)  取付け用穴
(36)  ボルト
(39)  下流側支持ブラケット
(40)  垂直取付プレート
(41)  ボルト穴
(42)  接続管
(46)  軒天井板
【図１】
2005213953.tif 000003
【図２】
2005213953.tif 000004
【図３】
2005213953.tif 000005